(57)【要約】【課題】細長い又は面積の大きなキー釦を、機器本体の限られた狭い場所に取付けでき、かつ、フィーリングよく円滑に上下動する装置を提供すること。【解決手段】機器本体１０に設けたキー釦１３を押圧して一体のキーステム２２によりスイッチ本体１９をオン・オフするようにした装置において、キー釦１３の長手方向の両側から細い弾性リブ３２をキー釦１３の外周に沿って略半周するように形成し、前記弾性リブ３２の略中間位置を機器本体に固定し、押圧部２３における弾性リブ３２の固定部の反対側に一方のガイド部材３５を設け、この一方のガイド部材３５を機器本体１０に設けた他方のガイド部材３６に嵌合してキー釦１３の進退動に伴うキー釦１３の方向性をもたせるようにしたものである。【選択図】　図１
2004022497.tif 000002
【特許請求の範囲】
【請求項１】
機器本体１０に進退自在に設けたキー釦１３の押圧部２３を押圧して一体のキーステム２２により機器本体１０内のスイッチ本体１９をオン・オフするようにしたキー釦の進退装置において、前記キー釦１３と一体にキー釦１３の長手方向の両側から細い弾性リブ３２をキー釦１３における押圧部２３の外周に沿って略半周するように形成し、前記弾性リブ３２の略中間位置を機器本体１０に固定し、前記押圧部２３における弾性リブ３２の固定部３３の反対側に一方のガイド部材３５を設け、この一方のガイド部材３５と前記機器本体１０に設けた他方のガイド部材３６とを嵌合してキー釦１３の進退動に伴うキー釦１３の方向性をもたせてなることを特徴とするキー釦の進退装置。
【請求項２】
機器本体１０に進退自在に設けたキー釦１３の押圧部２３を押圧して一体のキーステム２２により機器本体１０内のスイッチ本体１９をオン・オフするようにしたキー釦の進退装置において、前記キー釦１３と一体にキー釦１３の長手方向の両側から細い弾性リブ３２をキー釦１３における押圧部２３の外周に沿って略半周するように形成し、前記弾性リブ３２の略中間位置の固定部３３に支持孔２４を形成し、この支持孔２４に機器本体１０の取付け突起部２７を差し込み溶着保持し、前記押圧部２３における弾性リブ３２の固定部３３の反対側に一方のガイド部材３５を設け、この一方のガイド部材３５と前記機器本体１０に設けた他方のガイド部材３６とを嵌合してキー釦１３の進退動に伴うキー釦１３の方向性をもたせてなることを特徴とするキー釦の進退装置。
【請求項３】
機器本体１０に進退自在に設けたキー釦１３の押圧部２３を押圧して一体のキーステム２２により機器本体１０内のスイッチ本体１９をオン・オフするようにしたキー釦の進退装置において、前記キー釦１３と一体にキー釦１３の長手方向の両側から細い弾性リブ３２をキー釦１３における押圧部２３の外周に沿って略半周するように形成し、前記弾性リブ３２の略中間位置の固定部３３に支持孔２４を形成し、この支持孔２４に機器本体１０の取付け突起部２７を差し込み、この取付け突起部２７の突出部を、前記プリント基板１８に設けた脚柱３０の支持孔３１に嵌合しつつ、脚柱３０の端部と天板１５の下面とで固定部３３を挟持し、前記押圧部２３における弾性リブ３２の支持部の反対側に一方のガイド部材３５を設け、この一方のガイド部材３５と前記機器本体１０に設けた他方のガイド部材３６とを嵌合してキー釦１３の進退動に伴うキー釦１３の方向性をもたせてなることを特徴とするキー釦の進退装置。
【発明の詳細な説明】
【０００１】
【発明の属する技術分野】
本発明は、細長い又は面積の大きなキー釦を、キーの長さ方向にほとんど余裕のない機器本体１０に取り付ける場合において、キーにおけるどの位置を押してもフィーリングよく上下動してスイッチを確実にオン・オフするようにしたキー釦の進退装置に関するものである。
【０００２】
【従来の技術】
この種の細長い又は面積の大きなキー釦を円滑に上下動するための機構には、従来より種々提案されてきている。例えば、キー釦と一体に細長いリブを設け、このリブの他端部をハウジング側に固定したものがある。
また、特有の部品を使用する例として、キー釦の下面にて、キー釦の長手方向の長さと同程度の長さのコ字形に折曲した針金などの連動棒の両端部を移動自在に係合し、かつ、中央部分を基板側に回動自在に軸架したもので、キー釦の隅押しをしてもキー釦が連動棒と一体に上下することで水平に円滑に上下するように構成されている。
【０００３】
さらに、他の例として、キー釦の下面に、互いに略中央部を回動自在に軸架したクロスリンクを配置し、一方のリンクの一端の固定側を基板に軸架し、他端の移動側をキー釦の下面に当接し、他方のリンクの一端の移動側をキー釦の下面に当接し、他端の固定側を基板に軸架したもので、キー釦の隅押しをしたときクロスリンクを介してキー釦が円滑に上下するように構成されている。
【０００４】
【発明が解決しようとする課題】
以上のような従来の装置のうち、リブを一点で保持するものでは、キー釦の上下する方向を規制することができないため、キー釦の下部のスイッチのオン・オフが不正確になる。
特有の部品を使用するものでは、いずれの場合もキー釦の一端部を押すような隅押し時における円滑な上下動のための複雑な部品や組み立て機構を必要とし、コスト高になるという問題があった。
【０００５】
本発明は、簡単な構成により細長い又は面積の大きなキー釦を、機器本体の限られた狭い場所に取付けでき、かつ、フィーリングよく円滑に上下動するキー釦の進退装置を提供することを目的とするものである。
【０００６】
【課題を解決するための手段】
本発明は、機器本体１０に進退自在に設けたキー釦１３の押圧部２３を押圧して一体のキーステム２２により機器本体１０内のスイッチ本体１９をオン・オフするようにしたキー釦の進退装置において、前記キー釦１３と一体にキー釦１３の長手方向の両側から細い弾性リブ３２をキー釦１３における押圧部２３の外周に沿って略半周するように形成し、前記弾性リブ３２の略中間位置を機器本体に固定し、前記押圧部２３における弾性リブ３２の固定部の反対側に一方のガイド部材３５を設け、この一方のガイド部材３５と前記機器本体１０に設けた他方のガイド部材３６とを嵌合してキー釦１３の進退動に伴うキー釦１３の方向性をもたせてなることを特徴とするキー釦の進退装置である。
【０００７】
このような構成とすることにより、キー釦１３の押圧部２３を押すと、左右の弾性を有する弾性リブ３２で支えられ、かつ、一方のガイド部材３５と他方のガイド部材３６が嵌合しているので、押圧部２３は水平のままフィーリングよく下降し、スイッチ本体１９のスイッチ釦２０を確実にオンする。また、隅押しの場合も左右の弾性リブ３２が同時に変形しつつ一方のガイド部材３５が他方のガイド部材３６に沿って移動して押圧部２３が水平のまま下降し、スイッチ本体１９のスイッチ釦２０を確実にオンする。押圧部２３の押圧を解くと、キー釦１３は、スイッチ本体１９のスイッチ釦２０と、弾性リブ３２の弾性により上昇し、元の位置に復帰する。
【０００８】
【発明の実施の形態】
本発明は、電子機器に取り付けられたキー釦であって、細長い又は面積の大きなキー釦について、このキー釦と一体にキー釦の長手方向の両側から細い弾性リブをキー釦における押圧部の外周に沿って略半周するように形成し、前記弾性リブの略中間位置を機器本体に固定する。この結果、キー釦の一端部を押すような隅押しをしても円滑な上下動が得られる。
しかし、この弾性リブだけでは、キー釦の上下する方向がやや不安定であるため、弾性リブの反対側に一方のガイド部材を設け、この一方のガイド部材に機器本体に設けた他方のガイド部材を嵌合してキー釦の進退動に伴うキー釦の方向性をもたせる。この結果、キー釦は、予め設定された方向に規制されて正しく進退し、このキー釦釦の上下動によりキーステムを介してスイッチをオン・オフする。
前記弾性リブは、できるだけ押圧部の側面近くに沿って形成することにより、キー釦の幅方向の寸法を小さくできる。弾性リブを機器本体に固定するには、天板と一体に設けた取り付け突起部を、板ばね部の先端の支持孔に嵌合して溶着するか、プリント基板側から立ち上がらせた脚注の先端で挟持するようにしてもよい。
【０００９】
【実施例】
図４は、本発明のキー釦の進退装置を取り付ける機器本体１０の一実施例としてディジタルカメラ用アダプタの場合を示している。この機器本体１０の上面の嵌合凹部１１に、電子機器１４としてのデジタルカメラを嵌合すると、嵌合凹部１１から突出した端子台１２に電子機器１４が接続され、機器本体１０に設けたキー釦１３を押すと、内部のスイッチがオンし、ディスプレイなどに接続されるものとする。
前記機器本体１０は、全体の形状が細長いタイプであって、この機器本体１０の一端部の幅の狭い部分にキー孔１６が、機器本体１０の幅一杯に延びて形成され、このキー孔１６に、キー釦１３の細長い押圧部２３が突出して設けられているものとする。
【００１０】
このキー釦１３の詳細を図１、図２及び図３により説明する。
キー釦１３は、中央の押圧部２３と、この押圧部２３の外周の鍔部３７と、この鍔部３７に沿って略半周する弾性リブ３２と、機器本体１０に固定する固定部３３と、この固定部３３の反対側に設けられた一方のガイド部材３５と、下面のキーステム２２とがプラスチックにより一体成型されたものである。
【００１１】
本実施例における前記押圧部２３は、幅と長さの比が５〜１０倍の細長に形成され、全周囲に幅の狭い鍔部３７が形成されている。
前記弾性リブ３２は、幅の狭い棒状をなし、押圧部２３における鍔部３７の両端部から一体にわずかに延びた後、押圧部２３の外周に沿って互いに逆方向に鍔部３７との間にわずかな隙間をもって略半周し、略中央の固定部３３で一体に連結し、この固定部３３には、２個の支持孔２４が穿設されている。
前記押圧部２３における固定部３３との反対側には、筒状の一方のガイド部材３５がアーム３４を介して一体に設けられている。機器本体１０におけるキー孔１６と嵌合凹部１１の間であって、機器本体１０の天板１５の下面に、棒状の他方のガイド部材３６が一体に設けられ、この他方のガイド部材３６は、キー釦１３の進退方向を規制する前記一方のガイド部材３５と移動自在に嵌合している。前記押圧部２３の略中央の下面には、後述するスイッチ釦２０を押圧するためのキーステム２２が垂直に形成されている。
【００１２】
前記機器本体１０の側板１７に近い天板１５の部分に貫通して形成されたキー孔１６の周りには、受け枠２８が一体に形成され、この受け枠２８には、アーム３４の嵌合する係合溝２９が切り欠かれている。
前記天板１５の下面には、前記固定部３３の支持孔２４の位置に合わせて取付け突起部２７が一体に形成されている。
【００１３】
このように形成されたキー釦１３を機器本体１０に組み込むには、下方から一方のガイド部材３５を他方のガイド部材３６に嵌合しつつ、天板１５のキー孔１６に押圧部２３を嵌め込み、さらに、アーム３４を受け枠２８の係合溝２９に嵌合し、かつ、支持孔２４に取付け突起部２７を差し込む。差し込まれた２個の取付け突起部２７を溶着して溶着部溶着部２７ａとする。
【００１４】
このようにしてキー釦１３を組み立てた後、プリント基板１８に組み込むと、キー釦１３のキーステム２２の下端部が、プリント基板１８に取り付けられたスイッチ本体１９のスイッチ釦２０にわずかな隙間を持って臨ませられる。
【００１５】
この状態で、キー釦１３の押圧部２３を押すと、左右の弾性を有する弾性リブ３２で支えられ、かつ、一方のガイド部材３５と他方のガイド部材３６が嵌合しているので、押圧部２３は水平のままフィーリングよく下降し、スイッチ本体１９のスイッチ釦２０を確実にオンする。細長い押圧部２３のいずれか一方端を押した、いわゆる隅押しの場合も左右の弾性リブ３２が同時に変形しつつ一方のガイド部材３５が他方のガイド部材３６に沿って移動して押圧部２３が水平のまま下降し、スイッチ本体１９のスイッチ釦２０を確実にオンする。また、弾性リブ３２は、幅を狭く形成してあるので、進退動時にややねじれが生じたとしても一方のガイド部材３５が他方のガイド部材３６に嵌合しつつ上下動するのを妨げるようなことはない。
押圧部２３の押圧を解くと、キー釦１３は、スイッチ本体１９のスイッチ釦２０と、弾性リブ３２の弾性により上昇し、元の位置に復帰する。
【００１６】
前記実施例では、一方のガイド部材３５を筒状とし、他方のガイド部材３６を棒状としたが、逆に、キー釦１３と一体の一方のガイド部材３５を棒状とし、天板１５又はプリント基板１８と一体に形成した他方のガイド部材３６を筒状としてもよい。
前記図１の実施例では、固定部３３の支持孔２４に取付け突起部２７を差し込んだ後、突出部分を溶着部２７ａとして保持するようにした。
しかし、この例に限られるものではなく、図５に示すように、脚柱３０をプリント基板１８から垂直に立ち上がらせて形成し、この脚柱３０の上端部の支持孔３１に取付け突起部２７の突出部分を嵌合しつつ、脚柱３０の上端と天板１５の下面とで挟持するようにしても良い。
【００１７】
前記実施例では、キー釦１３の押圧部２３は、幅と長さの比が５〜１０倍の細長に形成されている場合を説明したが、本発明は、このような場合に限られるものではない。
例えば、押圧部２３が十分長くて幅のある面積の大きい場合、円形の面積の大きい場合、正ｎ角形などの面積の大きい場合などにおいても、キー釦の長手方向の両側から細い弾性リブ３２を押圧部２３の外周に沿って略半周するように伸ばし、弾性リブ３２の略中間位置を機器本体に支持し、かつ、弾性リブ３２の反対側の一方のガイド部材３５に他方のガイド部材３６を嵌合することにより、キー釦１３の進退動に伴う一方のガイド部材３５の方向性をもたせ、キー釦１３は、予め設定された方向に規制されて正しく進退する。
【００１８】
【発明の効果】
請求項１記載の発明によれば、キー釦１３と一体にキー釦１３の長手方向の両側から細い弾性リブ３２をキー釦１３における押圧部２３の外周に沿って略半周するように形成し、弾性リブ３２の略中間位置を機器本体１０に固定し、押圧部２３における弾性リブ３２の固定部３３の反対側に一方のガイド部材３５を設け、この一方のガイド部材３５と前記機器本体１０に設けた他方のガイド部材３６とを嵌合してキー釦１３の進退動に伴うキー釦１３の方向性をもたせたので、細長い又は面積の大きなキー釦がフィーリングよく円滑に上下動し、キー釦の上下する方向を正確に規制することができ、キー釦の下部のスイッチのオン・オフが正確になる。また、弾性リブ３２を形成するとともに、一方のガイド部材３５を設け、この一方のガイド部材３５と前記機器本体１０に設けた他方のガイド部材３６を延ばして形成するだけで、特有の部品を使用するものではないので、複雑な部品を必要とせず、組み立ても簡単で、安価に提供できる。
【００１９】
請求項２記載の発明によれば、弾性リブ３２の略中間位置の固定部３３に支持孔２４を形成し、この支持孔２４に機器本体１０の取付け突起部２７を差し込み溶着保持したので、細長いキー釦１３を確実に機器本体１０に保持できるとともに、組み立てが簡単である。また、フィーリングよく円滑に上下動でき、特に、幅の狭い個所の細長キー釦に好適である。
【００２０】
請求項３記載の発明によれば、弾性リブ３２の略中間位置の固定部３３に支持孔２４を形成し、この支持孔２４に機器本体１０の取付け突起部２７を差し込み、この取付け突起部２７の突出部を、プリント基板１８に設けた脚柱３０の支持孔３１に嵌合しつつ、脚柱３０の端部と天板１５の下面とで固定部３３を挟持したので、キー釦の長期間の上下動の使用によっても弾性リブ３２が確実に保持される。また、固定するための溶着作業やビスなどの部品を必要とせず、より組み立てが簡単で、安価に提供できる。
【図面の簡単な説明】
【図１】本発明によるキー釦の進退装置に使用されるキー釦１３の一実施例を示す平面図である。
【図２】図１におけるＡ−Ａ線断面図である。
【図３】本発明によるキー釦の進退装置に使用されるキー釦１３の一実施例を示す一部切り欠いた斜視図である。
【図４】細長いキー釦１３の使用例を示す斜視図である。
【図５】本発明によるキー釦の進退装置の他の実施例を示す断面図である。
【符号の説明】
１０…機器本体、１１…嵌合凹部、１２…端子台、１３…キー釦、１４…電子機器、１５…天板、１６…キー孔、１７…側板、１８…プリント基板、１９…スイッチ本体、２０…スイッチ釦、２２…キーステム、２３…押圧部、２４…支持孔、２７…取付け突起部、２７ａ…溶着部、２８…受け枠、２９…係合溝、３０…脚柱、３１…支持孔、３２…弾性リブ、３３…固定部、３４…アーム、３５…一方のガイド部材、３６…他方のガイド部材、３７…鍔部。
【図１】
2004022497.tif 000003
【図２】
2004022497.tif 000004
【図３】
2004022497.tif 000005
【図４】
2004022497.tif 000006
【図５】
2004022497.tif 000007